(57)【要約】      （修正有）【課題】コネクタを保持するための機構を含む接続位置保証リテーナを有する電気接続システムを提供する。【解決手段】コネクタ位置保証リテーナ（ＣＰＡＲ）６４はコネクタ同士を噛み合った位置に保持するのに使用される。ＣＰＡＲ６４は、ベース部分１７１から延びる二つの側タブ１７０を含む。側タブ１７０は、これらのタブから上方に突出した前ストップ１７２と、タブのチップから下方に突出した前バンプ１７６とを含む。ＣＰＡＲ６４が最終段階即ちロック位置にあるとき、前ストップ１７２は、全体として、ＣＰＡＲトラップと係合し又は当接する。前バンプ１７６は、全体が溝付きアームに着座し、これによって予備段階位置から最終段階位置即ちロック位置まで案内する。【選択図】図１９
2009004379.tif 000002
【特許請求の範囲】
【請求項１】
接続位置保証システムにおいて、接続位置保証リテーナを含み、該リテーナは、
ありスロットと機械的に係合するように形成されたありタブと、
前記ありタブの両側に、前記ありタブと実質的に平行に設けられた一対の後タブであって、後ストップが各々から下方に突出した、一対の後タブと、
互いに実質的に平行な一対の側タブと、
前記側タブの各々から上方に突出した前ストップであって、前記側タブは前記前ストップを越えて延びる、前ストップと、
各側タブのチップから下方に突出した前バンプと、
前記側タブ間をこれらの側タブと実質的に平行に延びるフックアームとを含む、システム。
【請求項２】
請求項１に記載のシステムにおいて、更に、上側を持つ雌コネクタを更に含み、該雌コネクタは、
前記雌コネクタの後側から実質的に平行に可撓性をなして延びる一対の溝付きアームであって、前記溝付きアームは、その端部から間隔が隔てられた縁部を持つ溝を含む、溝付きアームと、
前記溝付きアーム間の間隔によって形成されたスロットと、
前記溝付きアーム間を前記溝付きアームに対して実質的に垂直に延び、前記スロットの一端を境界付け、これによって、予備段階位置において、前記接続位置保証リテーナ用の前ストップとして役立ち、最終段階位置において、前記接続位置保証リテーナ用の後ストップとして役立つフックバーと、
前記溝付きアームの一方の端部分から実質的に垂直に延び、前記フックバーが前記端部分間を延びる、一対の側壁と、
前記上側から実質的に直角をなすように延び、前記溝付きアームの上方への移動を制限する、コネクタ位置保証プロテクタートラップとを含む、システム。
【請求項３】
請求項２に記載のシステムにおいて、
前記ありタブは前記スロットに挿入され、前記後ストップ及び前記前バンプは前記溝の夫々に着座し、
前記接続位置保証リテーナは、更に、前記側タブの下方をこれらの側タブ内でこれらの側タブと実質的に平行に延びる一対の下ガイドタブを含み、
前記下ガイドタブは、更に、前記スロットに挿入され、
前記フックアームは前記フックバーと係合し、
前記側タブは、前記溝付きアームと前記トラップとの間の夫々の空間に挿入され、
前記前ストップの各々は前記トラップの一方と当接する、システム。
【請求項４】
請求項３に記載のシステムにおいて、更に、
ロックバンプが上側から突出した雄コネクタを含む、システム。
【請求項５】
請求項４に記載のシステムにおいて、
前記雄コネクタは前記雌コネクタに挿入され、前記ロックバンプは前記フックバーと係合する、システム。
【請求項６】
接続システムにおいて、
上側を持つ雌コネクタであって、
前記雌コネクタの後側から実質的に平行に可撓性をなして延びる一対の溝付きアームであって、前記溝付きアームの各々は、その端部から間隔が隔てられた縁部を持つ溝を含む、溝付きアームと、
前記溝付きアーム間の間隔によって形成されたスロットと、
前記溝付きアーム間を前記溝付きアームに対して実質的に垂直に延び、前記スロットの一端を境界付け、これによって、予備段階位置において、接続位置保証リテーナ用の前ストップとして役立ち、最終段階位置において、前記接続位置保証リテーナ用の後ストップとして役立つフックバーと、
各々が、溝付きアームの一方の端部分から実質的に垂直に延び、前記フックバーが前記端部分間を延びる、一対の側壁と、
前記上側から実質的に直角をなすように延び、前記溝付きアームの上方への移動を制限する、コネクタ位置保証プロテクタートラップとを含む、雌コネクタと、
接続位置保証リテーナであって、
ありスロットと機械的に係合するように形成されたありタブと、
前記ありタブの両側に、前記ありタブと実質的に平行に設けられた一対の後タブであって、後ストップが各々から下方に突出した、一対の後タブと、
互いに実質的に平行な一対の側タブと、
前記側タブの各々から上方に突出した前ストップであって、前記側タブは前記前ストップを越えて延びる、前ストップと、
各側タブのチップから下方に突出した前バンプと、
前記側タブ間をこれらの側タブと実質的に平行に延びるフックアームとを含む、接続位置保証リテーナとを含む、システム。
【請求項７】
請求項６に記載のシステムにおいて、更に、
上側からロックバンプが突出した雄コネクタを含む、システム。
【請求項８】
請求項７に記載のシステムにおいて、
前記雄コネクタは前記雌コネクタに挿入され、前記ロックバンプは前記フックバーと係合する、システム。
【請求項９】
請求項７に記載のシステムにおいて、更に、
前記雄コネクタ内に挿入した雄端子と、
前記雌コネクタ内に挿入した雌端子とを含む、システム。
【請求項１０】
請求項７に記載のシステムにおいて、
前記雄コネクタは、更に、一対の雄シリンダを含み、前記雌コネクタは、更に、一対の雌シリンダを含み、前記システムは、更に、
前記雄端子と電気的に係合した第１ワイヤ組を含む第１ケーブル対と、
前記雌端子と電気的に係合した第２ワイヤ組を含む第２ケーブル対とを含む、システム。
【請求項１１】
請求項１０に記載のシステムにおいて、更に、
前記ケーブルのうちの一つのケーブルの周囲に配置され、前記ケーブルのうちの一つのケーブルを、前記雌シリンダのうちの一つの雌シリンダ又は前記雄シリンダのうちの一つの雄シリンダに固定する少なくとも一つの端子位置保証ロックを含み、前記端子位置保証ロックは、
前記ケーブルのうちの一つのケーブルを取り囲む周囲部分と、
前記シリンダのうちの一つのシリンダにおける一つ又はそれ以上のロックバンプと係合した一つ又はそれ以上のロックアームと、
前記周囲部分の周囲に配置された、前記シリンダのうちの一つのシリンダのスロットに挿入されたインデックスリブと、
前記周囲部分から延びており、前記ケーブルのうちの一つのケーブルを固定する複数のフィンガとを含む、システム。
【請求項１２】
請求項６に記載のシステムにおいて、
前記雌コネクタは、更に、
前記側壁間を延びる上ブレースを含み、該上ブレースは、前記雌コネクタの前記後側から、前記フックバンプよりも大きく離間されている、システム。
【請求項１３】
請求項６に記載のシステムにおいて、
前記ありタブを前記スロットに挿入し、前記後ストップ及び前記前バンプを前記溝の夫々に着座する、システム。
【請求項１４】
請求項１３に記載のシステムにおいて、
前記接続位置保証リテーナは、更に、
前記側タブの下方をこれらの側タブ内でこれらの側タブと実質的に平行に延びる一対の下ガイドタブを含み、これらの下ガイドタブもまた、前記スロット内に挿入される、システム。
【請求項１５】
請求項１３に記載のシステムにおいて、
前記フックアームは前記フックバーと係合する、システム。
【請求項１６】
請求項１５に記載のシステムにおいて、
前記側タブは、前記溝付きアームと前記トラップとの間の夫々の空間に挿入される、システム。
【請求項１７】
請求項１５に記載のシステムにおいて、
前記前ストップの各々は、前記トラップの一方と当接する、システム。
【請求項１８】
請求項６に記載のシステムにおいて、
前記雌端子は端子挿入体を含み、該端子挿入体は、
窪みが形成された複数の可撓性接触アーム及び一組のディンプルが各々形成された一対の両側パネルと、
内方に湾曲したチップが各々形成された一対の両側接触アームと、
前記側パネルの一方の上縁部から各々湾曲して延びる一対の上フランジとを含む、システム。
【請求項１９】
請求項６に記載のシステムにおいて、
前記雌コネクタは、直角コネクタ及びインラインコネクタのうちの一方である、システム。
【請求項２０】
端子挿入体において、該端子挿入体は、  
窪みが形成された複数の可撓性接触アーム及び一組のディンプルが各々形成された一対の両側パネルと、
内方に湾曲したチップが各々形成された一対の両側接触アームと、
前記側パネルの一方の上縁部から各々湾曲して延びる一対の上フランジと、
一対の側タブであって、これらの側タブの各々は、前記側パネルのうちの一方の側パネルから、前記側タブのうちの他方の側タブの方向と逆方向に実質的に直角をなして延びる一対の側タブとを含む、端子挿入体。
【発明の詳細な説明】
【技術分野】
【０００１】
本発明は、電気接続システムに関する。
【背景技術】
【０００２】
高い電流負荷を受け入れることができるコネクタに対する必要が益々増大している。例えば、最新の機器は、大量の電流を必要とする電動モータを装備している。大量の電流の搬送に使用される大きなケーブルは、小量の電流の搬送に必要とされる小さなケーブルよりも、フレッティング及び振動による損傷が電気接点のところに生じ易い。従って、大きなケーブル用のコネクタは、小さなケーブル用のコネクタよりも、応力の影響を受け易く、分離したり壊れたりし易い。
【０００３】
高い電力負荷を受け入れるのに使用される大きなケーブル用のコネクタは、多くの場合、極めて大きい。このような大きなコネクタサイズは、空間が限られた環境で、例えば一つの機器内で使用するには不便であり、又は実際的でない。更に、大きなコネクタ用のロック機構は、取り扱いが困難であったり安定性を欠いていたりする。更に、大きなケーブル用のコネクタは、機械加工及び／又は型成形が困難である。
【発明の開示】
【発明が解決しようとする課題】
【０００４】
本発明の目的は、電気接続システムを提供することである。
【課題を解決するための手段】
【０００５】
本発明は、接続位置保証システムを含む電気接続システムを提供する。接続位置保証システムは、あり継ぎスロットと機械的に係合するあり継ぎタブを持つ接続位置保証リテーナを含む。このリテーナは、あり継ぎタブの両側に実質的に平行に設けられた、後ストップが各々から下方に突出した一対の後タブと、互いに実質的に平行な一対の側タブと、側タブの各々から上方に突出した前ストップであって、側タブが前ストップを越えて延びる前ストップと、各側タブのチップから下方に突出した前バンプと、前記側タブ間をこれらのタブと実質的に平行に延びるフックアームとを含む。
【０００６】
接続位置保証システムは、更に、一対の溝付きアームが上側に設けられた雌コネクタを含む。アームは、雌コネクタの後側から実質的に平行に自在に延びている。溝付きアームの各々は、エッジが溝付きアームの端部から間隔が隔てられた溝を備えている。接続位置保証システムは、更に、溝付きアーム間の間隔によって形成されたスロットと、溝付きアーム間をこれらのアームに対して実質的に垂直に延びるフックバーとを含む。フックバーはスロットの一端を境界付け、これによって、フックバーは、予備段階位置において、接続位置保証リテーナ用の前ストップとして役立ち、最終位置において、接続位置保証リテーナ用の後ストップとして役立つ。接続位置保証システムは、更に、一対の側壁を含む。これらの側壁は、一方の溝付きアームの端部分から実質的に垂直に延び、フックバーが前記端位置間を延びる。接続位置保証システムは、更に、上側から実質的に直角に延び、実質的に直角を形成するコネクタ位置保証プロテクタートラップを含む。トラップは、溝付きアームの上方への移動を制限する。
【０００７】
あり継ぎタブをスロットに挿入し、後ストップ及び前バンプを溝の夫々に着座させる。接続位置保証リテーナは、側タブの下方をこれらの側タブ内でこれらの側タブと実質的に平行に延びる一対の下ガイドタブを含む。更に、これらの下ガイドタブをスロットに挿入し、フックアームをフックバーと係合し、側タブを溝付きアームとトラップとの間の夫々の空間に挿入し、前ストップの各々をトラップの一つに当接する。
【０００８】
接続位置保証システムは、更に、ロックバンプが上側から突出した雄コネクタを含む。ロックバンプは、フックバーと係合する。
接続システムは、雄コネクタ及び接続位置保証リテーナの両方を収容するように形成された雌コネクタを含んでいてもよい。雌コネクタは、接続位置保証リテーナに形成された前バンプ及び後ストップを受け入れる溝付きアームを含む。接続位置保証リテーナのフックアームの端部に設けられたフック及び雌コネクタのフックバーが、雄コネクタのロックバンプと係合する。最終位置と呼ばれる位置でこのように係合したとき、接続位置保証リテーナの側タブが、雌コネクタの接続位置保証プロテクターに進入し、これによって溝付きアーム上方への移動を制限し、これによって雌コネクタ及び雄コネクタが互いから外れないようにする。最終位置で係合する前に、予備段階位置で、接続位置保証リテーナのフックアームは、前ストップとして作用するフックバーと接触し、これによって接続位置保証リテーナが前方に移動しないようにする。
【発明を実施するための最良の形態】
【０００９】
図１は、一実施例による例示の接続システム５０の斜視図である。図１でわかるように、インライン雌コネクタ５４及び雄コネクタ５６を噛み合わせることによって、ケーブル５２を接続する。ケーブル５２は、雌端子シリンダ５８を介して雌コネクタ５４に進入する。ケーブル５２は、雄端子シリンダ６０を介して雄コネクタ５６に進入する。端子位置保証（ＴＰＡ）ロック６２は、コネクタ５４及び５６に進入するケーブル５２に対してシール抑え及び応力解放を提供する。
【００１０】
コネクタ位置保証リテーナ（ＣＰＡＲ）６４は、以下に更に詳細に説明するように、コネクタ５４及び５６を噛み合った位置に保持するのに使用される。ＣＰＡＲ６４は、少なくとも部分的には、あり溝６６に配置することによって、並びに以下に説明する他の機構によって保持される。図１でわかるように、ＣＰＡＲ６４は、「予備段階」すなわち「予備段階」位置として周知の位置にある。ＣＰＡＲ６４の「最終」すなわち「ロック」位置を以下に更に詳細に説明する。
【００１１】
端子シリンダ５８及び６０の各々は二対のスロット６８を備えている。これらのスロット６８は、ＴＰＡロック６２のインデックスリブ７０を受け入れるため、端子シリンダ５８又は６０のほぼ両側に配置されている。ロックバンプ７４を使用し、ＴＰＡロック６２のロックアーム７５を、以下に更に詳細に説明するように係合し固定する。ＴＰＡロック６２は、ロックバンプ７４の両側に設けられたリブ７２を使用して固定され且つ位置決めされる。図１でわかるように、対をなしたスロット６８及び対をなしたロックバンプ７４が、全体として、端子シリンダ５８及び６０の周囲に向き合って配置されている。
【００１２】
図２は、図１の例示の接続システム５０の分解図を示す。図３は、図１の例示の接続システム５０の断面図を示す。全体として、図２及び図３を参照すると、ＴＰＡロック６２はケーブル５２を取り囲み、ケーブルシール７６と当接し又はほぼ当接する。シール７６もまた、ケーブル５２を取り囲んでいる。ケーブル５２内のワイヤは、夫々、雌端子７８及び雄端子８０と電気的に係合している。雄端子８０を受け入れるため、インライン挿入体８２が雌端子７８に着座していてもよい。コネクタシール８４は、インラインシールリテーナ８６を受け入れ、このシールリテーナ８６は、コネクタシール８４を以下に更に詳細に説明するように所定位置に固定し保持するのに役立つ。図２でわかるように、雄コネクタ５６は、以下に更に詳細に説明するようにＣＰＡＲ６４と選択的に係合する、コネクタロックバンプ８８を含む。雌コネクタ５４は、インデックススロット８３を含む。このインデックススロット８３は、雄コネクタ５６の即部から延びるインデックスタブ８５を受け入れ、これによって、雌コネクタ５４及び雄コネクタ５６を噛み合わせるとき、雄コネクタ５６が雌コネクタ５４に対して正しく配向されるようにする。
【００１３】
図４、図５、及び図６は、一実施例による例示の接続システム５０’の図を示す。コネクタ５４及び５６がインラインで又は実質的にインラインで噛み合う図１、図２、及び図３に関して上文中に論じた接続システム５０とは対照的に、例示の接続システム５０’では、直角雌コネクタが雄コネクタ５７を受け入れて直角又は実質的に直角を形成する。従って、図４は、雌コネクタ５５が雄コネクタ５７を実質的に直角に受け入れる、一実施例による例示の接続システム５０’の斜視図を示す。雄コネクタ５７は、雄コネクタ５６と同様であるが、雄コネクタ５７を、更に、雌コネクタ５５に挿入するとき、雌コネクタ５５での雌端子７８の挿入を受け入れるように形成されていてもよい。
【００１４】
図５は、例示の接続システム５０’の分解図である。図６は、例示の接続システム５０’の断面図である。図５及び図６でわかるように、システム５０に関して上文中に論じなかったシステム５０’の構成要素には、直角端子挿入体９０及び端子ロックシールリテーナ９２が含まれる。
【００１５】
更に、図３及び図６でわかるように、雄コネクタ５６及び５７は、更に、雄端子８０を雄コネクタ５６及び５７に挿入したとき、雄端子８０と選択的に係合する、端子ロックバンプ９４を含む。ケーブル５２が雌端子９６と電気的に係合し、ＴＰＡ６２によって所定位置に保持され、追加としてシール７６によって収容される。更に、雌端子アッセンブリ７８と電気的に係合したケーブル５２は、雌端子シリンダ５８の内壁９８内で案内される。同様に、シール７６が内壁９８内に収容される。同様に、雄端子８０と電気的に係合したケーブル５２は、雄端子シリンダ６０の内壁１００内を案内される。シール７６が、同様に、内壁１００内に収容される。
【００１６】
図７は、ＣＰＡＲ６４が係合していない状態の例示のインライン雌コネクタ５４の斜視図を示す。図８は、ＣＰＡＲ６４が係合していない、例示のインライン雌コネクタ５４の平面図を示す。図７及び図８に関して提供されたのと同様の図を、例示の直角雌コネクタ５５に関して提供できるということは理解されるべきである。
【００１７】
図７及び図８を参照すると、コネクタ５４は一対の溝付きアーム１２１を含む。これらのアームは、互いに及びＣＰＡＲスロット１２３と平行であり、又は実質的に平行である。各溝付きアーム１２１には溝１２９が設けられており、これらの溝は、溝付きアーム１２１の一端から間隔が隔てられた後縁部１３１から延びている。ＣＰＡＲスロット１２３は、全体として、あり溝６６（図７及び図８には示さず）からフックバー１１０まで延びている。上ブレース１１７は、全体として、フックバー１１０の前方及び上方を平行に又は実質的に平行に延びており、フックバー１１０及び上ブレース１１７は、両方とも、二つの側壁１１９間を垂直に又はほぼ垂直に延びている。以下に更に詳細に説明するように、溝付きアーム１２１及びＣＰＡＲスロット１２３は、全体として、ＣＰＡＲ６４の作動を容易にする。一対のスリット１２５が、溝付きアーム１２１と雌コネクタ５４の主本体１２７との間を部分的に延びており、これによって溝付きアーム１２１に可撓性を提供し、フックバー１１０及び上ブレース１１７が、溝付きアーム１２１に対して全体に垂直な軸線に沿って上下に移動できるようにする。
【００１８】
図９は、例示の直角雌コネクタ５５の平面図である。一対の端子開口部１９０が設けられている。これらの端子開口部１９０は、夫々、第１端が端子シリンダ５８に接続されており、第２端が端子ソケット１９２に接続されている。端子ソケット１９２は、全体として、端子開口部１９０から最も遠い側にインデックスリブ１９４を含む。
【００１９】
図１０は、例示の端子ソケット１９２の斜視図を示す。図１０に示す斜視図は、端子開口部１９０を示す図である。端子ロックシールリテーナ９２を以下に論じるように受け入れるため、ノッチ１９６が、端子ソケット１９２の開口部１９０の周囲の壁に切り込んである。
【００２０】
端子ロックシールリテーナ
図１１は、例示の端子ロックシールリテーナ（ＴＬＳＲ）９２の斜視図である。ロックバンプ１９８は、ノッチ１９６（図１０参照）と係合することにより、ＴＬＳＲ９２を雌コネクタ５５に固定するように設計されている。ＴＬＳＲ９２は、全体として、一対のロックバンプ１９８を含むが、図１１の斜視図には一方のロックバンプ１９８だけを示す。インデックスリブ１９４を受け入れるため、インデックススロット２００が設けられている。従って、端子ソケット１９２内のインデックスリブ１９４（図９参照）は、全体として、インデックススロット２００を受け入れる上で適当な高さを備えている。例えば、インデックスリブ１９４は、端子ソケット１９２の高さの約２／３乃至３／４であってもよい。コネクタシール８４を保持する目的のため、フランジ２０２が設けられていてもよい。
【００２１】
図１２は、例示の端子ロックシールリテーナ９２の断面図を示す。雄端子ブレードスロット２０４は、図１３を参照して以下に論じる雄ブレード１２６を受け入れてもよい。図１４を参照して以下に論じるように、雌ソケット１４２に設けられたインデックスタブ１３９を受け入れるため、雌ソケットインデックススロット２０６が設けられている。雌ソケット１４２に設けられた、図１６を参照して以下に説明するノッチ１４１と係合する雌端子アッセンブリロック２０８が設けられている。ロック２０８は、ロック２０８とノッチ１４１との係合を容易にするため、全体に傾斜している。
【００２２】
端子
図１３は、ケーブル５２のワイヤと電気的に係合した例示の雄端子８０の斜視図である。雄ブレード１２６が、端子ベース１２８から軸線Ａに沿って長さ方向に延びる。雄ブレード１２６のチップ１３０は、ベース１２８から最も離れた雄ブレード１２６の箇所に設けられており、縁部１３２は軸線Ａと実質的に平行であり且つチップ１３０に対して実質的に垂直である。雄ブレード１２６には、更に、端子ロックウィンドウ１３４が設けられている。このウィンドウは、全体として、チップ１３０から、位置決め押縁１３６の第１端と同じ距離のところに配置されている。位置決め押縁１３６の第２端には、ブレード１２６からベース１２８までの端子８０の移行部が設けられている。ケーブル５２及びこのケーブル内に含まれるワイヤは、ケーブルクリンプ１３８及びワイヤクリンプ１４０によって所定位置に保持される。
【００２３】
図１４は、ケーブル５２のワイヤと電気的に係合した例示の雌端子アッセンブリ７８の斜視図である。雌ソケット１４２は、端子ベース１２８から軸線Ｂに沿って長さ方向に延びる。雌ソケット１４２は、インラインブレード開口部１４４及び直角ブレード開口部１４６を含む。
【００２４】
端子挿入体
図１５は、雄ブレード１２６（図１３参照）を受け入れ、雌ソケット１４２の開口部１４４にぴったりと嵌着する（図１４参照）ように形成されたインライン端子挿入体８２の斜視図である。図１６は、図示の端子挿入体８２を雌ソケット１４２に開口部１４４を通して挿入したインライン雌端子アッセンブリ７８及びケーブル５２の斜視図である。端子挿入体８２を雌ソケット１４２に挿入したとき、挿入体８２は雄ブレード１２６を図１６に示す方向で受け入れる。以下に更に詳細に説明するように、雌コネクタ５４又は５５への雌ソケット１４２の挿入を容易にするため、インデックスタブ１３９が設けられている。以下に更に詳細に説明するように、雌ソケット１４２と係合して固定するためにノッチ１４１が設けられている。
【００２５】
図１５を参照すると、端子挿入体８２は二つの側パネル１４８を含む。各パネル１４８には複数の接触アーム１５０が設けられている。これらの接触アーム１５０は、可撓性を持つように内方に窪みが付けてあり、これによって、雄ブレード１２６を端子挿入体８２に挿入したとき、雄ブレード１２６との接触を容易にする。端子挿入体８２は、更に、二つの側接点１５２を含む（図１５には、一方しか示してない）。これは、雄ブレード１２６を拘束し、雄ブレード１２６が側部から側部へ即ち横方向へ移動しないようにする。接点１５２の内方に湾曲したチップ１５４は、ブレード１２６との接触を容易にし、ブレード１２６の位置を固定し、これによって、フレッティング及び振動により損傷を生じる可能性を小さくする。各側パネル１４８に設けられた接触ディンプル１５６は、雄ブレード１２６を更に安定させ、これによってフレッティング及び振動により損傷を生じる可能性を小さくするのに寄与する。
【００２６】
湾曲したフランジ１５８が各側パネル１４８の上縁部から外方に突出している。側タブ１６０が各側パネル１４８の側面から外方に、一般には一方の側だけに、全体に側接点１５２の上方に突出している。図１６に最もよく示すように、フランジ１５８及び側タブ１６０は、挿入体８２を雌ソケット１４２内に位置決めし且つ拘束するのに役立つ。
【００２７】
図１７は、雄ブレード１２６（例えば図１３参照）を受け入れるように形成された、開口部１４４（例えば図１４参照）を通して雌ソケット１４２にぴったりと嵌着する直角端子挿入体９０の斜視図である。図１８は、端子挿入体９０が開口部１４４を通して雌ソケット１４２に挿入された状態で示す、直角雌端子アッセンブリ７８及びケーブル５２の斜視図である。端子挿入体９０を雌ソケット１４２に挿入したとき、挿入体９０は、ブレード１２６を図１８に示す方向に受け入れる。以下に更に詳細に説明するように、雌ソケット１４２を雌コネクタ５４又は５５に挿入し易くするため、インデックスタブ１３９が設けられている。雌ソケット１４２を以下に更に詳細に説明するように係合させ、固定するため、ノッチ１４１が設けられている。
【００２８】
図１７に戻ると、端子挿入体９０は、複数の接触アーム１５１を持つ二つの側パネル１６２を含む。これらの接触アーム１５１は、上文中に図１５を参照して説明したように、可撓性を持つように内方に窪みが付けてあり、これによって、雄ブレード１２６を端子挿入体９０に挿入したとき、雄ブレード１２６との接触を容易にする。端子挿入体９０は、更に、二つの側接点１６４（これらの接点のうちの１つだけを図１７に示す）を有し、雄ブレード１２６を拘束し、側部から側部へ即ち横方向へ移動しないようにし、ブレード１２６の接触及び固定位置決めを容易にし、これによってフレッティング及び振動により損傷が生じる可能性を最小にする。側パネル１６２には、側パネル１４８と同様に、ディンプル１５６が設けられている。これらのディンプル１５６は、雄ブレード１２６を更に安定させ、これによってフレッティング及び振動により損傷を生じる可能性を小さくするのに寄与する。
【００２９】
湾曲したフランジ１６６が各側パネル１６２の上縁部から外方に突出している。側タブ１６８が各側パネル１６２の側面から外方に、一般には一方の側だけに、全体に側接点１６４の上方に突出している。図１８に最もよく示すように、フランジ１６６及び側タブ１６８は、挿入体９０を雌ソケット１４２内に位置決めし拘束するのに役立つ。
【００３０】
コネクタ位置保証
図１９は、例示のＣＰＡＲ６４の斜視図である。図２０及び図２１は、夫々、例示のＣＰＡＲ６４の平面図及び底面図である。図２２、図２３、及び図２４は、夫々、例示のＣＰＡＲ６４の後面図、側面図、及び前面図である。図１９乃至図２４を参照すると、ＣＰＡＲ６４は、ベース部分１７１から延びる二つの側タブ１７０を含む。側タブ１７０は、これらのタブから上方に突出した前ストップ１７２と、タブのチップから下方に突出した前バンプ１７６とを含む。ＣＰＡＲ６４が最終段階即ちロック位置にあるとき、前ストップ１７２は、全体として、ＣＰＡＲトラップ１１３（図９参照）と係合し又は当接する。前バンプ１７６は、全体が溝付きアーム１２１に着座し、これによって予備段階位置から最終段階位置即ちロック位置まで案内する。
【００３１】
フックアーム１７４がベース部分１７１から延びており、側タブ１７０間に平行に又は実質的に平行に配置されている。フックアーム１７４は、ＣＰＡＲ６４が最終段階位置即ちロック位置にあるとき、全体がフックバー１１０（図７参照）と係合する。しかしながら予備段階位置では、フックアーム１７４の前部は、更に、前ストップとして役立ち、フックバー１１０の後側に当接し、これによって、最終段階位置でコネクタ５４又は５５とコネクタ５６又は５７とを夫々係合したとき、雄コネクタロックバンプ８８によってフックアーム１７４の端部のフックを押し上げることができる。後タブ１７８がベース部分１７１から後方に延びている。これらの後タブ１７８から下方に後ストップ１８２が突出している。ありタブ１８０がベース部分１７１から延びており、後タブ１７８間に平行に又は実質的に平行に配置されている。ありタブ１８０は、あり溝６６に嵌着するため、三角形様形状を有する（図１参照）。下ガイドタブ１８４は、全体が側タブ１７０の下方に及びこれらのタブの間に延びている。
【００３２】
ＣＰＡＲ６４が雌コネクタ５４又は５５と係合するとき、下ガイドタブ１８４及びありタブ１８０が、スロット１２３の下側で、コネクタ５４又は５５と係合する。この際、側タブ１７０及び後タブ１７８は、スロット１２３の上側に沿って移動する。バンプ１７６及び１８２が溝付きアーム１２１に着座し、これによって、コネクタ５４又は５５に沿ったＣＰＡＲ６４の長さ方向移動の案内を補助するのに役立つ。
【００３３】
図２５は、予備段階位置でＣＰＡＲ６４を挿入した例示の直角雌コネクタ５５の斜視図である。わかるように、フックアーム１７４の前側がフックバー１１０の前面に当たっており、従って、ＣＰＡＲ６４が前方に移動しないようにする。後タブ１７８及びありタブ１８０は、コネクタ５５の側部と面一であるか或いは実質的に面一である。図２５には示してないけれども、後ストップ１８２が溝付きアーム１２１の後縁部に捕捉される。溝付きアーム１２１は、図７及び図８に示してある。これによって、ＣＰＡＲ６４がスロット１２３から「後方に出る」ことがないようにし、即ちフックバー１１０及び上ブレース１１７から遠ざかる方向にスリップしないようにする。
【００３４】
図２６は、雄コネクタ５７と噛み合った例示の直角雌コネクタ５５の斜視図である。雌コネクタ５５にはＣＰＡＲ６４がロック位置即ち最終位置で挿入してあり即ち係合している。雄コネクタ５７を雌コネクタ５５に挿入したとき、雄コネクタ５７のバンプ８８（図２及び図５に示してあるが、図２６には示してない）が、ありタブ１８０に最も近いフックバー１１０の側部と係合し、ここに捕捉される。バンプ８８は全体に傾斜しており、例えば端子シリンダ６０から遠ざかる方向に３０°乃至４５°の角度をなしている。しかしながら、バンプ８８は、端子シリンダ６０に向かう方向で、全体として、垂直面又は実質的に垂直な面を形成し、即ちバンプ８８が配置された雄コネクタ５７の表面が形成する平面に関してほぼ９０°の角度をなす。バンプ８８が傾斜した形体を備えているため、雄コネクタ５７を雌コネクタ５５に挿入するとき、可撓性溝付きアーム１２１間に配置されたフックバー１１０をバンプ８８上で摺動させることができる。しかしながら、バンプ８８の垂直な面又は実質的に垂直な面は、フックバー１１０と係合しこれに固定される。
【００３５】
雄コネクタ５７を雌コネクタ５５にそのように挿入した後、即ち、バンプ８８がフックアーム１７４の前側をフックバー１１０の上に持ち上げたとき、ＣＰＡＲ６４をロック位置即ち最終位置まで移動する。従って、ＣＰＡＲ６４は、図２５に示すその位置と比較したとき、溝付きアーム１２１及びスロット１２３（図２６には示さず）によって定められた方向に移動され、前ストップ１７２がＣＰＡＲトラップ１１３に当接し、フックアーム１７４がフックバー１１０（図２６には示さず）と係合し、側タブ１７０がＣＰＡＲトラップ１１３に滑り込む。かくして、ＣＰＡＲ６４がロック位置にあるとき、フックアーム１７４及びバンプ８８の両方がフックバー１１０と係合することにより、雄コネクタ５７と雌コネクタ５５とが外れないようにする。更に、例えば図２７でわかるように、側アーム１７０と、側アーム１７０の端部を溝付きアーム１２１とＣＰＡＲトラップ１１３との間に捕捉することにより、溝付きアーム１２１が雄コネクタ５７から遠ざかる方向に移動しないようにし、これによって、フックアーム１７４及びバンプ８８がフックバー１１０から外れないようにする。
【００３６】
図２５及び図２６に示す例示の直角雌コネクタ５５は、例示のインライン雌コネクタ５４に関して提供できるということは理解されよう。
【００３７】
端子位置保証ロック
図２８は、一実施例による端子位置保証（ＴＰＡ）ロック６２の斜視図である。一対のアーム７５が、ＴＰＡ６２の周囲部分２１２の周囲で互いに反対側の位置にある。同様に、一対のインデックスリブ７０がＴＰＡ６２の周囲に配置されている。複数のフィンガ２１０、一般には８前後の数のフィンガ２１０がＴＰＡ６２の周囲内に配置されており、周囲から延びており、これを使用してケーブル５２を固定し応力解放を行う。
【００３８】
結論
以上の説明は例示を意図したものであって、限定を意図したものではない。当業者には、以上の説明を読むことにより、ここに提供した例以外の多くの実施例及び用途が明らかになるであろう。本発明の範囲は、以上の説明を参照して決定されるべきではなく、その代りに、特許請求の範囲及びその等価物の全範囲を参照して決定されるべきである。本明細書中で論じた技術において、将来、開発がなされることが予想される。開示のシステム及び方法は、このような将来の実施例に組み込まれるであろう。要するに、本発明は、変形及び変更が可能であり、特許請求の範囲のみによって限定されるということは理解されるべきである。
【００３９】
特許請求の範囲で使用した全ての用語は、それに反する特段の記載がない限り、それらの用語の最も広い妥当な構造及び当業者によって理解される通常の意味で与えられたものである。詳細には、単数で表現したエレメントは、それに反する特段の記載がない限り、一つ又はそれ以上を意味するものとして読まれるべきである。
【図面の簡単な説明】
【００４０】
【図１】図１は、一実施例による例示の接続システムの斜視図である。
【図２】図２は、図１の例示の接続システムの分解図である。
【図３】図３は、図１の例示の接続システムの断面図である。
【図４】図４は、一実施例による例示の接続システムの斜視図である。
【図５】図５は、図４の例示の接続システムの分解図である。
【図６】図６は、図４の例示の接続システムの断面図である。
【図７】図７は、コネクタ位置保証リテーナが係合していない例示のインライン雌コネクタの斜視図である。
【図８】図８は、コネクタ位置保証リテーナ（図８には示さず）が係合した例示のインライン雌コネクタの平面図である。
【図９】図９は、例示の直角雌コネクタの平面図である。
【図１０】図１０は、例示の雌端子ソケットの図である。
【図１１】図１１は、例示の端子ロックシールリテーナの斜視図である。
【図１２】図１２は、例示の端子ロックシールリテーナの断面図である。
【図１３】図１３は、ワイヤと電気的に係合した例示の雄端子の斜視図である。
【図１４】図１４は、ワイヤと電気的に係合した例示の雌端子の斜視図である。
【図１５】図１５は、例示のインライン端子挿入体の斜視図である。
【図１６】図１６は、例示のインライン雌端子アッセンブリ及びケーブルの斜視図である。
【図１７】図１７は、例示の直角端子挿入体の斜視図である。
【図１８】図１８は、例示の直角雌端子アッセンブリ及びケーブルの斜視図である。
【図１９】図１９は、例示のコネクタ位置保証リテーナの斜視図である。
【図２０】図２０は、例示のコネクタ位置保証リテーナの平面図である。
【図２１】図２１は、例示のコネクタ位置保証リテーナの底面図である。
【図２２】図２２は、例示のコネクタ位置保証リテーナの後面図である。
【図２３】図２３は、例示のコネクタ位置保証リテーナの側面図である。
【図２４】図２４は、例示のコネクタ位置保証リテーナの正面図である。
【図２５】図２５は、例示のコネクタ位置保証リテーナを予備段階位置で挿入した例示の雌コネクタの斜視図である。
【図２６】図２６は、例示の雄コネクタと噛み合った、例示のコネクタ位置保証リテーナがロック位置即ち最終位置に挿入されており且つ係合した例示の雌コネクタの斜視図である。
【図２７】図２７は、例示の雌コネクタに対して最終位置で係合した例示のコネクタ位置保証リテーナの部分図である。
【図２８】図２８は、例示の端子位置保証ロックの斜視図である。
【符号の説明】
【００４１】
５０、５０’  接続システム
５２  ケーブル
５４  雌コネクタ
５５  雌コネクタ
５６  雄コネクタ
５７  雄コネクタ
５８  雌端子シリンダ
６０  雄端子シリンダ
６２  端子位置保証（ＴＰＡ）ロック
６４  コネクタ位置保証リテーナ（ＣＰＡＲ）
６６  あり溝
６８  スロット
７０  インデックスリブ
７２  リブ
７４  ロックバンプ
７５  ロックアーム
７６  ケーブルシール
７８  雌端子
８０  雄端子
８２  インライン挿入体
８３  インデックススロット
８４  コネクタシール
８６  インラインシールリテーナ
８８  コネクタロックバンプ
８５  インデックスタブ
９０  直角端子挿入体
９２  端子ロックシールリテーナ
９４  端子ロックバンプ
９６  雌端子
９８、１００  内壁
【図１】
2009004379.tif 000003
【図２】
2009004379.tif 000004
【図３】
2009004379.tif 000005
【図４】
2009004379.tif 000006
【図５】
2009004379.tif 000007
【図６】
2009004379.tif 000008
【図７】
2009004379.tif 000009
【図８】
2009004379.tif 000010
【図９】
2009004379.tif 000011
【図１０】
2009004379.tif 000012
【図１１】
2009004379.tif 000013
【図１２】
2009004379.tif 000014
【図１３】
2009004379.tif 000015
【図１４】
2009004379.tif 000016
【図１５】
2009004379.tif 000017
【図１６】
2009004379.tif 000018
【図１７】
2009004379.tif 000019
【図１８】
2009004379.tif 000020
【図１９】
2009004379.tif 000021
【図２０】
2009004379.tif 000022
【図２１】
2009004379.tif 000023
【図２２】
2009004379.tif 000024
【図２３】
2009004379.tif 000025
【図２４】
2009004379.tif 000026
【図２５】
2009004379.tif 000027
【図２６】
2009004379.tif 000028
【図２７】
2009004379.tif 000029
【図２８】
2009004379.tif 000030
【外国語明細書】
2009004379000001.pdf